(57)【要約】【課題】従来の主体が金属線で構成される三角コーナーは、足が下部に向かって延びているので流し台の排水口より足が細いと、足が流し台の排水口にはまり大きく傾く事があり、時として倒れる事があるという問題点があった。本発明は、上記のような問題点を解決することを課題とするものである。【解決手段】本発明は、主体が金属線で構成される三角コーナーの足端部に落下防止部と必要とならば滑り止め部を加えてあるので、足が流し台の排水口にはまり大きく傾く事や、倒れる事がないということで目的を達することを特徴とするものである。【選択図】図１
2014208552.tif 000002
【特許請求の範囲】
【請求項１】
主体が金属線で構成される三角コーナーの支持足端部に落下防止部と必要とならば滑り止め部を加えて設ける事で、支持足が流し台の排水口にはまり三角コーナーが大きく傾く事や、倒れる事を無くすることができることを特徴とする五徳状台付三角コーナー足。
【請求項２】
支持足の先をＬ字型に曲げること、またはその曲げた足を他の足に接着することを特徴とする請求項１記載の五徳状台付三角コーナー。
【発明の詳細な説明】
【技術分野】
【０００１】
本発明は、流し台の隅に置き生ゴミなどを入れる主体が金属線で構成される三角コーナーにおいて、三角コーナーが移動した時に足が排水口に大きく落ちにくくするための五徳状台付三角コーナー足に関するものである。
【背景技術】
【０００２】
従来の生ゴミなどを入れる主体が金属線で構成される三角コーナーには、底の部分と横の一部に穴が空いた水切りの出来るビニール袋（市販の物）を、３カ所の支柱の突き出た処に引っかけて吊すだけにして、底の部分を無くすことにより、汚れるスペースが無くなり、ゴミを処理した後もそのままでも綺麗であることを特徴とする底なし三角コーナーがある（例えば、特許文献１参照。）。
【０００３】
また、当社が特許を取得した主体が金属線で構成される三角コーナーでは、五徳状をした本体の上部爪より下部に生ゴミを投入する空間を設けた上で、本体の三角フレームには支持足に向かって下がるようにステーが設けてあり、ステーの先は支持足と接続しており、その三角フレームに水切り袋の上部を外側に巻くように吊るすことができることを特徴とする五徳状台付三角コーナーがある（例えば、特許文献２参照。）。
【０００４】
以下、従来の特許文献について説明する。特許文献１の底なし三角コーナーでは、足となる支柱が下部に向かって延びているので流し台の排水口より足となる支柱が細いと、支柱が流し台の排水口にはまり底なし三角コーナーが大きく傾く事があり、時として倒れる事がある。
【０００５】
また、特許文献２の五徳状台付三角コーナーでは、支持足が下部に向かって延びているので流し台の排水口より支持足が細いと、支持足が流し台の排水口にはまり五徳状台付三角コーナーが大きく傾く事があり、時として倒れる事がある。
【０００６】
この五徳状台付三角コーナーには、加熱された食品や調味料などが入った鍋やフライパン等が載せられる事があるので、大きく傾いたり倒れたりしたら危険である。
【先行技術文献】
【特許文献】
【０００７】
【特許文献１】特開２００１−３３５１０４号公報（第１頁、解決手段）
【特許文献２】特許第５１７７７２３号（請求項１）
【発明の概要】
【発明が解決しようとする課題】
【０００８】
解決しようとする問題点は、特許文献１および特許文献２は同様に、足が下部に向かって延びているので流し台の排水口より足が細いと、足が流し台の排水口にはまり主体が金属線で構成される三角コーナーが大きく傾く事があり、時として倒れる事がある点である。
【０００９】
特許文献１および特許文献２は同様な問題点があるので、以下、特許文献２の五徳状台付三角コーナーにて説明する。但し、特許文献２（００２０）には足キャップ１３は本体１の移動を防止するために吸盤状としても良いと記載されており、足キャップが吸盤状のものであれば移動しないので問題点はない。
【課題を解決するための手段】
【００１０】
本発明は、特許文献２の五徳状台付三角コーナーの支持足が下部に向かって延びているので、流し台の排水口より支持足が細いと支持足が流し台の排水口にはまり五徳状台付三角コーナーが大きく傾く事があり、時として倒れる事があるので、支持足端部に落下防止部と必要とならば滑り止め部を加えて設けることで、支持足が流し台の排水口にはまり五徳状台付三角コーナーが大きく傾く事や、倒れる事がないことを最も主要な特徴とする。
【発明の効果】
【００１１】
本発明の五徳状台付三角コーナー足は、特許文献２の五徳状台付三角コーナーの支持足端部に落下防止部と必要とならば滑り止め部を加えてあるので、支持足が流し台の排水口にはまり五徳状台付三角コーナーが大きく傾く事や、倒れる事がないという利点がある。
【図面の簡単な説明】
【００１２】
【図１】図１は五徳状台付三角コーナーを流し台の底に置き、その支持足に落下防止部を取り付けてある例の斜視図である。
【図２】図２は落下防止部の各種形態の例の平面図である。
【図３】図３は落下防止部に滑り止め部を加えた例の斜視図である。
【発明を実施するための形態】
【００１３】
主体が金属線で構成される三角コーナーでは、流し台の排水口より足が細いと、足が流し台の排水口にはまり大きく傾く事があり、時として倒れる事があるのでそれを防ぐ目的を、支持足端部に落下防止部と必要とならば滑り止め部を加えて設ける事で、支持足が流し台の排水口にはまり三角コーナーが大きく傾く事や、倒れる事を無くすることができる事で実現した。
【００１４】
以下に本発明の実施形態を、図面を参照しながら具体的に説明するがこの実施形態に限定されるものではない。図１は、五徳状台付三角コーナーを流し台の底６に置き、その支持足１１には落下防止部７が取り付けてある例の斜視図であって、排水口６１に支持足１１の一つがはまりかけているが、落下防止部７により止まっている。
【００１５】
図２は、落下防止部７の各種形態の例の平面図であって、ＡはＹ字型、Ｂは三角定規型、Ｃは三角連結棒型、Ｄは中空型であり、各型は足キャップ１３を取り除き支持足１１の先端に設ける事も可能である。
【００１６】
なお、支持足１１の先をＬ字型に曲げＤはそのままで、Ａ、Ｃは他の足に接着して各々Ａ型、Ｃ型、Ｄ型にする事も可能である。
【００１７】
図３は、落下防止部７に滑り止め部７１を加えた例の斜視図であって、この例では滑り止め部７１は凸状であるが凹状であっても良い。
【００１８】
このようにして作成された五徳状台付三角コーナー足は、支持足１１端部に落下防止部７と必要とならば滑り止め部７１を加えて設けてあるので、主体が金属線で構成される三角コーナーの足が下部に向かって延びているので流し台の排水口６１より足が細いと、足が流し台の排水口６１にはまりこの三角コーナーが大きく傾く事があり、時として倒れる事があるという問題点を解消できる。
【符号の説明】
【００１９】
１    本体
１１  支持足
１２  上部爪
１３  足キャップ
１４  三角フレーム
１５  フレームステー
１６  フランジ用凸部上
１７  フランジ用凸部中
１８  台用凸部
２    三角コーナー
２１  水切り袋
２２  水切り袋折れ目
２３  三角コーナーフランジ
２４  三角コーナー足
３    生ゴミ
４    鍋
５    台
６    流し台の底
６１  排水口
７    落下防止部
７１  滑り止め部
【図１】
2014208552.tif 000003
【図２】
2014208552.tif 000004
【図３】
2014208552.tif 000005